(57)【要約】【課題】大容量保冷庫等の大型重量物を取扱う場合において、その積み替え、姿勢の傾動、昇降操作等の作業負荷を軽減して小さな操作力で安定した積み降ろし作業を可能とする簡易な構成の積み降ろし補助装置を得ることにある。【解決手段】積み降ろし補助装置１は、大型重量物Ｗを係止するためのフック１４を備えてこのフック１４に係止するように大型重量物に対して装着固定可能な装着フレーム２と、この装着フレーム２を上下に移動可能に案内支持するガイドフレーム３とから構成され、上記ガイドフレーム３の背面側には、下端位置で全荷重を受けうる主支持部４，４と、同ガイドフレーム３を傾斜姿勢に安定支持しうる補助支持部５，５とを備え、上記主支持部４，４には、移動用の車輪を設ける。【選択図】図１
2005096955.tif 000002
【特許請求の範囲】
【請求項１】
大型重量物を係止するためのフックを備えてこのフックに係止するように大型重量物に対して装着固定可能な装着フレームと、この装着フレームを上下に移動可能に案内支持するガイドフレームとからなる積み降ろし補助装置であって、
上記ガイドフレームの背面側には、下端位置で全荷重を受けうる主支持部と、同ガイドフレームを傾斜姿勢に安定支持しうる補助支持部とを備え、上記主支持部には、移動用の車輪を設けたことを特徴とする積み降ろし補助装置。
【請求項２】
前記ガイドフレームの補助支持部には、移動用の車輪を備えたことを特徴とする請求項１記載の積み降ろし補助装置。
【請求項３】
前記ガイドフレームの補助支持部には、同ガイドフレームを緩急の異なる傾斜に支持するための支持高さ調節手段を備えたことを特徴とする請求項１記載の積み降ろし補助装置。
【発明の詳細な説明】
【技術分野】
【０００１】
本発明は、トラックの荷台から重量物を降ろし、または、積み込む際のための積み降ろし補助装置に関するものであり、特に、小さな操作力で安定した積み降ろし作業を可能とする簡易な構成の積み降ろし補助装置に関するものである。
【背景技術】
【０００２】
特許文献１に記載のように、ガイドフレームに昇降フック体を設けて荷物を昇降することができる昇降部と、この昇降部を荷物とともに支持して移送することができる一軸台車による移送部とからなる簡易な構成の昇降移送補助装置が知られている。この昇降移送補助装置は、基底面と高所との間にガイドフレームを傾斜架設し、この傾斜に沿って荷物をスライド昇降する。この補助装置は、昇降フック体に対して荷物を積み替えることにより受け渡しを行い、また、昇降部上の荷物をガイドフレーム側に預けるように一軸台車を傾斜することにより、ハンドルを持って手押し操作することができるので、操作負荷を小さく抑えて重い荷物の昇降と移送の作業をすることができる。さらに、この昇降移送補助装置は、簡易な構成により持ち運びが容易なので、場所を選ぶことなく昇降搬送設備のない作業現場に持ち込んで使用することができる。
【０００３】
しかし、大容量保冷庫等の大型重量物を取扱う場合、特に、トラックの荷台から大型重量物を地面に降ろす場合にあっては、上記昇降移送補助装置を適用しても、トラックの荷台と昇降移送補助装置の昇降部との間における荷物の積み替え、姿勢の傾動、下降操作等の不安定で危険な作業を伴うことから、大重量を支え得る多数の作業員を動員せざるを得ないという問題がある。
【特許文献１】実開平６−１６３９５号公報
【特許文献２】特開２００２−６７９６６号公報
【発明の開示】
【発明が解決しようとする課題】
【０００４】
解決しようとする問題点は、大容量保冷庫等の大型重量物を取扱う場合において、その積み替え、傾動、昇降操作等の作業負荷を軽減して小さな操作力で安定した積み降ろし作業を可能とする簡易な構成の積み降ろし補助装置を得ることにある。
【課題を解決するための手段】
【０００５】
請求項１に係る発明は、大型重量物を係止するためのフックを備えてこのフックに係止するように大型重量物に対して装着固定可能な装着フレームと、この装着フレームを上下に移動可能に案内支持するガイドフレームとからなる積み降ろし補助装置であって、上記ガイドフレームには、下端位置で全荷重を受けうる主支持部と、同ガイドフレームを傾斜姿勢に安定支持しうる補助支持部とを備え、上記主支持部には、移動用の車輪を設けたことを特徴とする。
【０００６】
請求項２に係る発明は、請求項１記載の発明において、前記ガイドフレームの補助支持部には、移動用の車輪を備えたことを特徴とする。
【０００７】
請求項３に係る発明は、請求項１記載の発明において、前記ガイドフレームの補助支持部には、同ガイドフレームを緩急の異なる傾斜に支持するための支持高さ調節手段を備えたことを特徴とする。
【発明の効果】
【０００８】
本発明の積み降ろし補助装置は、以下の効果を奏する。
ガイドフレームを起立状態でその装着フレームを目的物（大型重量物）に合わせることにより、装着フレームを介して大型重量物をガイドフレーム上に移動可能に拘束保持することができ、さらに、このガイドフレームは、主支持部の車輪により全重量を支持して傾斜させることが可能となる。このガイドフレームを介して目的物を傾斜させ、補助支持部で支持することにより、傾斜姿勢において目的物を安定して上または下に移動することができる。また、ガイドフレームをその下端の主支持部で受けつつ起立姿勢に戻して目的物をガイドフレームから解放することにより、目的物の支持負荷を小さく抑えつつ、異なる２つの高さレベルの間で目的物の受け渡しが可能となる（請求項１）。
【０００９】
移動用の車輪を補助支持部に備える場合は、ガイドフレームを移動走行することができるので、請求項１の発明の効果に加え、受け渡し先についての制限を受けることなく、積み降ろし点から離れた場所においても、目的物を受け渡しすることができる（請求項２）。
【００１０】
補助支持部に支持高さ調節手段を備えた場合は、補助支持部を調節することにより、急傾斜姿勢において目的物を昇降することによりガイドフレーム支持負荷を抑えることができ、また、緩傾斜姿勢においてガイドフレームを受けるための負荷を抑えて目的物を安定して支持することができる。したがって、上記積み降ろし補助装置は、重量の大きな目的物について、請求項１の発明の効果に加え、作業負荷を抑えるとともに安定した取扱いを可能とする（請求項３）。
【発明を実施するための最良の形態】
【００１１】
本発明の実施の形態について、以下に図面に基づいて詳細に説明する。
図１は積み降ろし補助装置の分解側面図、図２はそのＡ矢視図である。積み降ろし補助装置１は、前面に大型重量物Ｗを係止拘束可能な装着フレーム２と、この装着フレーム２の背面側をその上下方向にスライドして移動可能に案内支持するガイドフレーム３とから構成される。このガイドフレーム３は、装着フレーム２をガイドする左右の平行ビーム３ａ，３ａと、この左右の平行ビーム３ａ，３ａの間で両者を連結するクロス部材６ａ，６ｂ，６ｃとによって形成する。
【００１２】
左右の平行ビーム３ａ，３ａの背面側には、下端にガイドフレーム３の全荷重を受け得る左右の車輪による主支持部４，４を、また、略中段位置にガイドフレーム３を傾斜姿勢に安定支持しうる左右の車輪による補助支持部５，５を形成する。積み降ろし専用の場合は、車輪を省略する。左右の補助支持部５，５には、少なくとも長短の長さに調節可能な伸縮部７，７によりガイドフレーム３を緩急の異なる傾斜に支持するための支持高さ調節手段を設け、また、展開収納可能にピン５ｂ、５ｂを介して左右の補助支持部５，５をガイドフレーム３に連結することにより、ガイドフレーム３に対して直角、地面に対して略直立、および、ガイドフレーム３に沿って平行の３態様を選択可能に構成する。
【００１３】
上段のクロス部材６ａは、背面側に屈曲して手押し用のハンドルを兼ねるとともに、滑車８を設け、装着フレーム２を吊り上げるようこの装着フレーム２に一端を連結したワイヤ８ａを張架するとともにその端部をドラム９に止結する。中段のクロス部材６ｂには、ワイヤ８ａを巻き取るドラム９を軸支して巻取機構を構成する。巻取機構は、クランク状のハンドル９ａをドラム９に設け、このドラム９をクロス部材６ｂから背面側に延びるブラケット９ｂ，９ｂに軸支して構成する。この巻取機構により、ドラム９とハンドル９ａとの半径比に応じた作用力でワイヤ８ａが巻き取られる。
【００１４】
装着フレーム２は略矩形状のフレーム２ａからなり、その両側部にガイドフレーム３の左右の平行ビーム３ａ，３ａと嵌合してその長手方向に摺動可能な左右のガイド部１１，１１を形成する。このフレーム２ａには、ガイドフレーム３のクロス部材６ａと係合して装着フレーム２を上位保持可能な可動爪１２を上端に設け、この可動爪１２と近接して減速昇降用の滑車１２ａを設ける。この滑車１２ａにワイヤ８ａを張架することにより、吊り上げ力が倍加される。
【００１５】
フレーム２ａの下端には、その前面側に大型重量物を係止するためのフック１４を突設する。また、左右のガイド部１１，１１の上部に左右の上受材１５，１５と下部に横断方向の下受材１６とを設けるとともに、左右の上受材１５，１５の近傍にベルト結着部１５ａ，１５ａを形成する。これら上部の上受材１５，１５と下部の下受材１６とにより、フック１４に係止するように大型重量物Ｗの背面を受けつつ、同大型重量物Ｗをフレーム２ａにベルト１５ｂで拘束可能に構成する。
【００１６】
上記構成の積み降ろし補助装置１による積み降ろしの操作手順は、図３の操作行程図に示すように、トラックの荷台Ｈから大型重量物Ｗを地面Ｌに降ろして目的場所に移送するまでの間を、１）装着固定、２）傾斜支持、３）下降、４）低重心支持の４行程によって行う。
【００１７】
１）の装着行程は、トラックの荷台Ｈ上の大型重量物Ｗに沿うようにガイドフレーム３を直立し、可動爪１２によって係止した装着フレーム２のフック１４を大型重量物Ｗの基部に合わせ、同大型重量物Ｗの背面側を上受材１５，１５と下受材１６に受けつつ、ベルト１５ｂによって装着フレーム２を大型重量物Ｗに装着固定する。
【００１８】
２）の傾斜支持行程は、装着フレーム２を介して大型重量物Ｗに装着されたガイドフレーム３の主支持部４，４により大型重量物Ｗを支持しつつ、後方に引き起し操作することにより、長尺設定の補助支持部５，５による急傾斜姿勢の支持位置まで後方に傾斜させる。この場合、大型重量物Ｗの引き起しから補助支持部５，５による急傾斜姿勢までの角度範囲において、ガイドフレーム３の主支持部４，４を支点とする荷重モーメントが小さいことから、作業員の負荷支持力を小さく抑えることができる。
【００１９】
３）の下降行程は、可動爪１２を解除するとともに、ハンドル９ａを戻してワイヤ８ａを緩めることにより、大型重量物Ｗの重量分力とバランスするように装着フレーム２を徐々にスライド移動させ、大型重量物Ｗをガイドフレーム３の下端まで下降させる。この場合、大型重量物Ｗは、補助支持部５，５により安定支持されつつ、ハンドル９ａの操作によって安定して下降することができる。
【００２０】
４）の低重心支持行程は、補助支持部５，５を短尺設定に切り換えることによってガイドフレーム３を緩傾斜姿勢とし、大型重量物Ｗを低重心支持する。この場合、ガイドフレーム３の上端のハンドル部６ａを保持操作することにより、ガイドフレーム３の下端位置の大型重量物Ｗを小さな支持負荷によって対抗保持することができる。したがって、ガイドフレーム３を緩傾斜に切り替えて大型重量物Ｗを目的位置まで安定移送することができる。また、上記積み降ろし補助装置１は、運搬スペースを要しない簡易な構成により、どこにでも持ち運びができ、かつ、僅かなスペースで簡易に操作することができる。
【００２１】
（ブレーキ機構の構成例）
つぎに、主支持部４，４のブレーキ機構の構成例について説明する。図４はブレーキ機構の構成例を示す積み降ろし補助装置の分解側面図、図５はそのＢ矢視図である。以下において、前記同様の部材はその符号を付すことによって説明を省略する。
ガイドフレーム３の中段のクロス部材６ｂの中央にブレーキレバー２１を設け、このブレーキレバー２１の揺動操作によって昇降動作するセンターロッド２２を下方に延ばし、このセンターロッド２２と偏心連結して回動されるブレーキ軸２３を左右の主支持部４，４まで延ばすことによりブレーキ機構を構成する。ブレーキ軸２３は、クランク状の屈曲部２３ａ，２３ａをその両端に形成し、回動によって車輪４ａ，４ａに当接するように構成する。
【００２２】
上記構成のブレーキ機構は、ブレーキレバー２１の揺動操作に応じてセンターロッド２２が上方または下方に動作し、ブレーキ軸２３が対応して回動することにより屈曲部２３ａ，２３ａが左右の車輪４ａ，４ａに当接または離反する。したがって、単一のブレーキレバー２１の操作により、主支持部４，４の左右の車輪４ａ，４ａを共に拘束または解除することができるので、積み降ろしの各行程における操作、すなわち、装着行程における位置合わせ後のブレーキ操作、傾斜支持行程の後の移動の際の解除操作と下降行程の前のブレーキ操作等を能率良く進めることができる。
【００２３】
（巻取機構の他の構成例）
つぎに、装着フレーム２を吊り上げる巻取機構の他の構成例について説明する。巻取機構の拡大側面図を図６に、そのＣ矢視図を図７に示すように、巻取機構３１は、ガイドフレーム３のクロス部材６ｂから左右の支持板３２，３２を後方に延ばし、ワイヤ８ａを巻き取るためのドラム３３を軸支するとともに、クランク状のハンドル３４ａを一端側に形成したハンドル軸３４と、このハンドル軸３４からチェーンで減速した中間軸３５とを軸支する。この中間軸３５から、小径スプロケット３５ａによりチェーン減速する減速伝動系をドラム３３に設ける。また、ドラム３３には、ラチェット機構３６とその解除レバー３６ａを設ける。
【００２４】
上記構成の巻取機構３１は、ハンドル軸３４とドラム３３との間の減速比を大きく設定することができるので、大型重量物の昇降操作のための作業員の負担を軽減することができる。また、ラチェット機構３６により、巻き上げ操作を安定化することができる。
【００２５】
（保冷庫の棚構成）
つぎに、保冷庫の棚構成について説明する。図８は、保冷庫の棚構成の要部斜視図である。保冷庫４１は、左右の棚受４２，４２の間に連結シャフト４３を軸支し、その両端にピニオンギヤ４３ａ，４３ａを設け、保冷庫４１の左右の側板４４，４４に沿って上下に延びる左右の縦ラック４５，４５と噛合する。この左右の縦ラック４５，４５は、荷摺ポスト４７，４７の間の中段位置から上方の範囲に配置する。一方の棚受４２には、取り外し可能なハンドル軸４６を軸支し、このハンドル軸４６から連結シャフト４３に減速ギヤ４６ａで伝動し、ハンドル軸４６の手動操作により荷摺ポスト４７，４７をガイドとして左右の棚受４２，４２を昇降可能に構成する。また、左右の棚受４２，４２には、荷摺ポスト４７，４７の穴４７ａ…に固定するためのストッパピン４８…を配置する。
【００２６】
上記構成の保冷庫４１は、ハンドル軸４６の操作により左右の棚受４２，４２が昇降移動することから、左右の棚受４２，４２の上に棚板４２ａを架け渡して荷物を載せ、ハンドル軸４６を操作することにより、保冷庫４１の上部位置に上昇させ、ストッパピン４８…で固定する。このように、昇降駆動用の特段のスペースを要することなく、保冷庫４１の現有スペースを確保した上で、米袋等の重量物を軽い力で高所まで容易に移動することが可能となる。
【００２７】
（昇降棚装置）
つぎに、昇降棚装置を有する保冷庫について説明する。昇降棚装置を有する保冷庫の正面図、側面図、平面図を図９〜図１１に示す。保冷庫５１は、箱型の機枠５１ａの正面開口に左右に開く扉５２を備え、内部には、棚を昇降駆動する昇降棚装置５３を着脱可能に配置する。昇降棚装置５３は、左右両側の昇降部５４，５４と、この昇降部５４，５４の間に架設した棚板５５等から構成され、扉５２の内方位置に昇降操作のための昇降スイッチ５６を配置する。
【００２８】
昇降棚装置５３は、詳細には、側面図と平面図をそれぞれ図１２、図１３に示すように、両昇降部５４，５４には、上下方向に延びるガイドレール６１，６１と、上下端のスプロケット６２，６３間を周回可能なチェーン６４とを備える。上端のスプロケット６２の支軸６２ａは、その奥側に設けたモータ６５との間に架設したチェーン６５ａによって駆動する。棚板５５は、その全面に多数のスリット５５ａ…を貫通形成し、両側端に棚受部材５５ｂ，５５ｂを設ける。これら棚受部材５５ｂ，５５ｂには、対応する側の昇降部５４，５４のガイドレール６１，６１に沿って案内されるローラ６６，６６をそれぞれ備え、かつ、チェーン６４と連結する。
【００２９】
上記構成の保冷庫の昇降棚装置５３は、昇降スイッチ５６の操作により、ローラ６６，６６が昇降部５４，５４のガイドレール６１，６１に沿って案内されつつ、棚板５５がチェーン６４によって昇降動作する。このように構成した昇降棚装置５３に対し、従来の差替式保持金具によって棚板を高さ調整可能に構成したもの（例えば、特許３３８８５６７号公報）にあっては、保持金具の煩わしい差替操作を要する上に、積載重量も６０〜１００ｋｇ程度に限られて玄米の積載が困難であり、また、玄米段積時は５〜６段以上になると老婦人では出し入れが困難であったが、上記昇降棚装置５３により、多数の袋詰め玄米等をスイッチ操作によって庫内の上部に昇降できることから、棚板５５を下降して低位置の出し入れ作業とスイッチ操作によって多数の袋詰め玄米等を積載して上段まで容易に積み上げ、簡易に出し入れが可能となる。
【００３０】
また、荷扱いの際には、昇降スイッチ５６を保冷庫５１の扉５２の内部に配置したことから、扉５２を開放したまま、棚板５５の昇降動作を視認しつつ昇降操作することができる。また、昇降棚装置５３が保冷庫５１の機枠５１ａに対して着脱可能であることから、機枠５１ａ側に駆動軸用の貫通穴や支持部材を設ける必要がないので、保冷庫５１を安価に提供することができるとともに、運搬設置時の持ち運びも容易となる。棚を使用しない場合は、庫外に取出して収納ボックス等に転用することができる。
【００３１】
（保冷庫の温度調節装置）
つぎに、保冷庫の温度調節装置について説明する。図１４の要部断面図に示すように、保冷庫の上部にはコンプレッサ７１と冷却器７２を備えるほか、冷却器７２の前方に温度調節用の加温ヒータ７３を設け、冷却器ファン７２ａによる庫内空気の導入部の庫内温度センサ７４と外周部の周温センサ７５を配置する。加温ヒータ７３の制御部７６は、図１５の入出力信号系統図に示すように、庫内温度センサ７４により、庫内温度が温度設定用の温度調節部７７による設定温度Ｔ以下となった時に、周温センサ７５による周囲温度を加味して加温ヒータ７３で加温制御することにより、過度の冷却を防止するべく構成する。
【００３２】
制御部７６の詳細動作は、図１６の制御信号のタイミングチャートに示すように、周囲温度が設定温度―３℃以上の時（ａ）は、設定温度Ｔについて１℃〜３℃のディファレンシャル温度（図例では、３℃）の幅内でコンプレッサ７１の制御により庫内温度を調節し、除霜時は、コンプレッサ７１と加温ヒータ７３を制御する。また、周囲温度が設定温度―３℃未満の時（ｂ）は、設定温度Ｔについて１℃〜３℃のディファレンシャル温度（図例では、３℃）の幅内で加温ヒータ７３を制御することにより庫内温度を調節する。
【００３３】
このように加温ヒータ７３によって温度調節装置を構成することにより、庫内温度を５℃〜１５℃の範囲に調節することができる。したがって、加温ヒータ７３を備えない従来のもの（例えば、特開２００２−１３０８８８号公報）にあっては、周囲温度が設定温度以下となった場合に、庫内温度が共に下がり、その結果、庫内の農産物の凍結や低温障害等によって腐敗を招くことがあったが、上記構成の温度調節装置により、低温障害を招くことなく、一年中、一定温度で農産物を貯蔵できる。また、冷却運転中の除霜制御により、迅速に除霜処理することができる。
【００３４】
（扉の開閉管理処理）
つぎに、保冷庫の扉の開閉管理処理について説明する。扉の開閉管理処理は、図１７の扉の開閉管理処理機能付き保冷庫の制御回路図に示すように、保冷庫の庫内灯スイッチ８１の信号を制御部８２に取り込むことによって扉の開閉回数を記憶し、表示手段付きの操作パネル８３に開閉頻度を表示するように構成する。
【００３５】
操作パネル８３は、図１８の操作パネルの構成例に示すように、温度設定のための増減ボタンによる入力部８４と庫内温度をデジタル式等に表示する表示部８５を備える。その操作手順は、図１９の操作手順図に示すように、入力部８４の同時長押し（Ｓ１）によって開閉頻度表示モードに移行してデジタル表示部８５に過去１ヶ月の開閉頻度（Ｓ２）を表示する。以下、入力部８４の「増」ボタンの操作に応じて、過去８ヶ月の開閉頻度（Ｓ６）までを、順次、エンドレスに表示する一方、入力部８４の同時短押し（Ｓ７）によって開閉頻度表示モードを解除して通常運転モードに復帰（Ｓ８）する。
【００３６】
上記構成の扉の開閉管理処理は、扉開閉実績を記録することができるので、保冷庫を使用する顧客からの苦情に対して必要な情報を提供することができる点でメンテナンス上の的確な対応を可能とするものである。すなわち、保冷庫についての顧客の懸念、例えば、「いつもコンプレッサが回っている」、「電気代がいつもより高い」等の苦情に対して、単に顧客による頻繁な開閉等その原因が顧客の使用態様にある場合であっても、機械の故障の判定を含め、その原因を納得してもらうまで、その対応に苦慮することが多々あった。しかし、扉開閉実績（過去８ヶ月）を表示することにより、苦情発生に到ったより詳しい情報（使用状況）を得ることができるので、メンテナンスや市場対応処理が効率的かつ迅速に行えるようになった。
【産業上の利用可能性】
【００３７】
本発明の積み降ろし補助装置は、大容量保冷庫等の大型重量物の積み降ろしと移送に際し、簡易な構成により、過大な負荷を受けることなく、小さな操作力で安定した積み降ろし作業を可能とする。
【図面の簡単な説明】
【００３８】
【図１】本発明の積み降ろし補助装置の分解側面図である。
【図２】図１のＡ矢視図である。
【図３】積み降ろし補助装置による積み降ろしの操作行程図
【図４】ブレーキ機構の構成例を示す積み降ろし補助装置の分解側面図である。
【図５】図４のＢ矢視図である。
【図６】巻取機構のたの構成例を示す拡大側面図である。
【図７】図６のＣ矢視図である。
【図８】保冷庫の棚構成の要部斜視図である。
【図９】昇降棚装置を有する保冷庫の正面図である。
【図１０】図９の保冷庫の側面図である。
【図１１】図９の保冷庫の平面図である。
【図１２】昇降棚装置の側面図である。
【図１３】図１２の昇降棚装置の平面図である。
【図１４】保冷庫の温度調節装置の要部断面図である。
【図１５】加温ヒータの制御部の入出力信号系統図である。
【図１６】図１５の制御部による制御信号のタイミングチャートである。
【図１７】扉の開閉管理処理機能付き保冷庫の制御回路図である。
【図１８】図１７の保冷庫の操作パネルの構成例である。
【図１９】図１７の保冷庫の操作手順図である。
【符号の説明】
【００３９】
１    積み降ろし補助装置
２ａ    フレーム
２    装着フレーム
３    ガイドフレーム
３ａ    平行ビーム
４    主支持部（車輪）
５    補助支持部（車輪）
６ａ    ハンドル部
５ｂ    ピン
７    伸縮部（支持高さ調節手段）
８ａ    ワイヤ
９    ドラム
９ａ    ハンドル
１１    ガイド部
１２    可動爪
１４    フック
１５    上受材
１５ａ    ベルト結着部
１５ｂ    ベルト
１６    下受材
２１    ブレーキレバー
２２    センターロッド
２３    ブレーキ軸
２３ａ    屈曲部
３１    巻取機構
３３    ドラム
３４ａ    ハンドル
３４    ハンドル軸
３５    中間軸
３５ａ    小径スプロケット
３６    ラチェット機構
３６ａ    解除レバー
４１    保冷庫
４２    棚受
４２ａ    棚板
４３ａ    ピニオン
４３    連結シャフト
４４    側板
４５    縦ラック
４６    ハンドル軸
４７ａ    穴
４７    荷摺ポスト
４８    ストッパピン
５１    保冷庫
５１ａ    機枠
５２    扉
５３    昇降棚装置
５４    昇降部
５５ｂ    棚受部材
５５    棚板
５６    昇降スイッチ
６１    ガイドレール
６２，６３    スプロケット
６４    チェーン
６６    ローラ
７２    冷却器
７３    加温ヒータ
７４    庫内温度センサ
７５    周温センサ
７６    制御部
８１    庫内灯スイッチ
８２    制御部
８３    操作パネル
Ｈ    荷台
Ｌ    地面
Ｗ    大型重量物
【図１】
2005096955.tif 000003
【図２】
2005096955.tif 000004
【図３】
2005096955.tif 000005
【図４】
2005096955.tif 000006
【図５】
2005096955.tif 000007
【図６】
2005096955.tif 000008
【図７】
2005096955.tif 000009
【図８】
2005096955.tif 000010
【図９】
2005096955.tif 000011
【図１０】
2005096955.tif 000012
【図１１】
2005096955.tif 000013
【図１２】
2005096955.tif 000014
【図１３】
2005096955.tif 000015
【図１４】
2005096955.tif 000016
【図１５】
2005096955.tif 000017
【図１６】
2005096955.tif 000018
【図１７】
2005096955.tif 000019
【図１８】
2005096955.tif 000020
【図１９】
2005096955.tif 000021